(57)【要約】【課題】  低コストで容易にネットの洗浄又は交換ができるネットフェンスを提供する。【解決手段】  左右の支柱（１）の上端部付近の間及び下端部付近の間にネット支持部材（７，８）を張設し、前記支柱の間及び上下のネット支持部材の間に紐で作られたネット（１３）を取外し自在に張設してネットフェンスを構成した。【選択図】      図１
2005179985.tif 000002
【特許請求の範囲】
【請求項１】
隣合う支柱の上端部付近の間及び下端部付近の間にネット支持部材を張設し、前記支柱の間及び上下のネット支持部材の間に紐で作られたネットを取外し自在に張設したことを特徴とするネットフェンス。
【請求項２】
上下の棒状又は管状のネット支持部材の両端部に貫通孔を設けるとともに、その両端部を支柱の中空部まで挿通し、各支柱の中空部において上下のネット支持部材の両端部の貫通孔にストッパピンを挿通して、ネット支持部材を支柱に固定したことを特徴とする請求項１に記載のネットフェンス。
【請求項３】
ネットの境界形成面の１か所又は複数箇所に窓を開け、その窓にネットが揺らされた場合に鳴動する鈴を設けたことを特徴とする請求項１又は２に記載のネットフェンス。
【発明の詳細な説明】
【技術分野】
【０００１】
本発明は、境界面形成部材にネットを用いるフェンス、すなわち、ネットフェンスに関する。
【背景技術】
【０００２】
ネットフェンスには、敷地内側に植えた蔓性植物、例えば蔦、クレマチス、ジャスミン、朝顔などの蔓を絡ませて、その風情を楽しむ場合がある。これらの植物には、冬季に枯れてフェンスの美観を損ねたり、過度に繁茂したため間引きが必要になったりするものが少なくない。このような状態になった時は、蔓性植物の絡まりついた部分を取除く必要がある。
【発明の開示】
【発明が解決しようとする課題】
【０００３】
しかし、従来のネットフェンスの境界面を形成するネットは、金網、パンチングメタル、延伸開口パネルなど、いずれも金属製であるため、蔓のネットに対する結合力が強く、とくに吸盤はかなりの力で密着しているため、容易に完全除去することができないことは、よく経験されている。
従来は、美観が損なわれたフェンスのネットを放置するに耐えない場合は、ネットを交換せざるを得ないが、従来は、ネット材料が安価ではなく、交換作業も容易でなく、従って、交換に多くのコストがかかるという問題があった。
【０００４】
本発明は、上記の点に鑑みてなされたものであり、その課題は、低コストでかつ容易にネットの洗浄又は交換ができるネットフェンスを提供することにある。
【課題を解決するための手段】
【０００５】
上記課題を解決するため、本発明は、隣合う支柱の上端部至近の間及び下端部至近の間にネット支持部材を張設し、前記支柱の間及び上下のネット支持部材の間に紐で作られたネットを取外し自在に張設したことを特徴としている（請求項１）。
【０００６】
上記ネットフェンスは、ネットを取外し自在に張設するため、ネット支持部材には棒状又は管状のネット支持部材を用い、上下のネット支持部材の両端部に貫通孔を設けるとともに、その両端部を支柱の中空部まで挿通し、各支柱の中空部において上下のネット支持部材の両端部の貫通孔にストッパピンを挿通して、ネット支持部材を支柱に固定することが望ましい（請求項２）。
【０００７】
さらに上記ネットフェンスは、ネットの境界形成面の１か所又は複数箇所に窓を開け、その窓にネットが揺らされた場合に鳴動する鈴を設けることが望ましい（請求項３）。
【発明の効果】
【０００８】
請求項１の発明によれば、支柱の間及び上下のネット支持部材の間に張設されたネットは、紐製であるので人は乗り越えることが困難であり、侵入防止効果が大きい。また、ネットは支柱から容易に取り外すことことができるから、ネットに蔦等の蔓性植物又は他の汚染物が付着して容易に除去できない場合には、これを取り外して洗浄することが可能である。さらに、紐製ネットは安価であるので、ネットが経年劣化又は損傷した場合は、ネットを低コストで容易に新品と交換することができる。
【０００９】
請求項２の発明によれば、支柱の中空部からストッパピンを引き抜くことにより、上下のネット支持部材を抜き出し、ネットを容易に取り外すことにより、ネットを容易に交換することができる。
【００１０】
請求項３の発明によれば、賊がネットフェンスを乗り越えて敷地に侵入するようとすると、ネットが揺らされた時に鈴が鳴動するので、その侵入を断念させ、又は、侵入しようとする者がいることを在宅者に事前に知らせることができる。従って、防犯効果が得られる。
【発明を実施するための最良の形態】
【００１１】
次に、本発明の実施の形態について図面に基づいて説明する。
図１は本発明のネットフェンスの一実施の形態を示す正面図、図２は隣接する２本の支柱の部分を抽出した拡大図、図３はネットに鈴を備えた例を示す要部の斜視図である。
【００１２】
図１において、１は既知の方法により地面に立設された支柱であるが、本発明を実施するため、各支柱は全長に渡って連通する中空部２を有している。その支柱の一端部に圧入したブロック３にベース４の下側からねじ５をねじ込むことにより、支柱１とベース４が結合されており、そのベース４を基礎６の上面にアンカーボルト等（図示省略）により固定して、各支柱１が所定の間隔を置いて立設されている。この支柱の立設構造は単なる一例を説明したに過ぎず、本発明はこれに限定されない。
【００１３】
隣接する支柱の対向面には支柱の上端部付近及び下端部付近において互いに対向して開口する孔１ａ，１ｂが設けられている。そして、上下においてそれぞれ対向する孔には、ネット支持部材７，８の両端部が挿入されている。ネット支持部材７，８は、ワイヤ，ケーブル又はロープなどを使用することも可能であるが、本発明の好ましい実施例は、ステンレススチール製又はアルミ合金製の中空管又は棒で構成されている。製造コストの低減及び選択手間の省略のためには、ネット支持部材７，８は同一の形状寸法に形成されていることが望ましい。ネット支持部材７，８の両端部には上下方向に貫通する孔７ａ，７ｂ；８ａ，８ｂが形成してある。この孔が常に上下方向に貫通する状態を維持するため、ネット支持部材７，８は断面形状が四角形その他の多角形にされていることが好ましい。
【００１４】
各支柱に挿入されたネット支持部材の端部のうち、支柱の左又は右側の同一側に存在する上下の端部の孔７ａ，８ａ；７ｂ，８ｂには、支柱の上面開口から支柱の中空部に挿入したストッパピン９を挿通して、各ネット支持部材が支柱から抜けないように係止する。ストッパピンの上端部に屈曲部９´又は膨大部を形成するなどして、ネット支持部材を停止した状態で保持されるようにしてある。逆に各ストッパピン９を上方に引き抜くことにより、ネット支持部材７，８を容易に取り外すことができる。
【００１５】
ストッパピン９によりネット支持部材７，８を固定した後は、支柱の上端部に脚付きキャップ１０を装着して、支柱の上端面を密閉してある。キャップ１０は支柱から脚１１にねじ１２をねじ込んで固着されている。従って、キャップ１１は着脱可能である。
【００１６】
各支柱１の間には、ネット１３が張設されている。このネットは、好ましくは耐候性、耐酸性に優れた紐で編製又は組製された、人畜の通り抜けを阻止できるメッシュに形成されたものであり、上辺は上側のネット支持部材７に支持され、下辺は下側のネット支持部材８に支持され、左右の辺はそれぞれ支柱１に支持されている。ネットのネット支持部材及び支柱に対する支持構造はとくに限定されない。一例を挙げれば、ネット１３の上辺と下辺にそれぞれ上下のネット支持部材７，８を挿通し、ネットの左右各辺に予め間隔的に装着してある結束具１４を支柱１に通し、上下のネット支持部材７，８の両端部を上述のようにして各支柱に挿入し、ストッパピン９で止める。結束具１４が開閉可能な構造のものである場合は、ネット支持部材を支柱に固定した後、左右各辺の結束具１４を支柱に巻回して固定することもできる。結束具は支柱に固着されたもの、支柱の長手方向に摺動自在なリング状のもの、支柱に対して着脱自在のスナップ式のもののいずれでもよい。
【００１７】
上記のように構成されているネットフェンスには、敷地内側のフェンス付近に植えた蔓性植物の蔓等を絡ませて、観賞することができる。そして、その植物又は少なくともネットに絡まって枯れた蔓を除去した際に必要な場合は、キャップ１１を外し、ストッパピン９を引き抜くことにより、ネットを外して洗浄又は交換を容易に行うことができる。
【００１８】
本発明の好ましい実施の形態においては、ネット１３には、図３に示すように、そのネットにより形成される境界面の一又は複数箇所に窓１３Ｗを設け、その窓に鈴１５を吊り下げるなどして設けてある。
図１に示すネットが剛性金網である場合は、賊がこれに足を掛けて乗り越え、敷地に侵入することができ、家人はこれに気付かない場合が有り得る。しかし、本発明のネットは柔軟な紐製であるので、このネットに足を掛けて又は上部ネット支持部材７に体重を掛けてネットを乗り越えようとする時に、ネットが揺らされ、これに伴い鈴が勢い良く振られて鳴動する。従って、その音を聞いて、家人は何者かがフェンスを乗り越えて敷地に侵入し、又は外に脱出しようとしていることを知ることができる。鈴は、通常はフェンスの装飾物にもなるので、フェンスに従来ない美観を添えることもできる。
【図面の簡単な説明】
【００１９】
【図１】本発明のネットフェンスの一実施の形態を示す正面図。
【図２】隣接する２本の支柱の部分を抽出した拡大図。
【図３】ネットに鈴を備えた例を示す要部の斜視図。
【符号の説明】
【００２０】
１      支柱
２      中空部
７，８  ネット支持部材
９      ストッパピン（停止棒）
１０    キャップ
１３    ネット
１３Ｗ  窓
１４    結束具
１５    鈴
【図１】
2005179985.tif 000003
【図２】
2005179985.tif 000004
【図３】
2005179985.tif 000005